(57)【要約】【課題】  通常は仏壇本体内部に収納しておき、電気蝋燭を使用するときに仏壇本体内部から引き出すことができる電気蝋燭用受台を提供すること。【解決手段】  仏壇本体の側板の内面に蝶番を介して水平旋回可能に取り付けられていることを特徴とする。【選択図】  図３
2005066302.tif 000002
【特許請求の範囲】
【請求項１】
仏壇本体の側板の内面に蝶番を介して水平旋回可能に取り付けられていることを特徴とする電気蝋燭用受台。
【請求項２】
電気蝋燭の燭台の下端が嵌合する凹部を形成した受台の該凹部に接する部分に電線を挿通する孔を形成したことを特徴とする請求項１記載の電気蝋燭用受台。
【請求項３】
電気蝋燭用受台を取り付ける蝶番をスプリング内蔵の蝶番として常時電気蝋燭用受台を仏壇本体から外側に押し出すように付勢させたことを特徴とする請求項１記載の電気蝋燭用受台。
【請求項４】
電気蝋燭用受台の下面に仏壇の扉に当接するロ−ラを枢支して設けたことを特徴とする請求項１記載の電気蝋燭用受台。
【発明の詳細な説明】
【発明の詳細な説明】
【技術分野】
【０００１】  本発明は、仏壇本体の側板の内面に蝶番を介して水平旋回可能に取り付けられた電気蝋燭用受台に関するものである。
【背景技術】
【０００２】  従来から仏壇用の灯明として安全性の面から火を使わない電気蝋燭が賞用されている。
【発明が解決しようとする課題】
【０００３】  一般に、電気蝋燭とは炎型の電球を取り付ける蝋燭本体部分とその蝋燭本体部分を立てる燭台部分とから構成されており、通常は経机の上に燭台部分を載置して使用するものであった。
【０００４】  そのため、扉が開閉運動をする軌跡上には何も置くことができず，仏壇前面の経机上の電気蝋燭は扉から離れた位置に設置しなければならならないという問題点があった。
【発明の目的】
【０００５】  本発明は、通常は仏壇本体内部に収納しておき、電気蝋燭を使用するときに仏壇本体内部から引き出すことができる電気蝋燭用受台を提供することを目的とするものである。
【課題を解決するための手段】
【０００６】  本発明に係る請求項１の電気蝋燭用受台は、仏壇本体の側板の内面に蝶番を介して水平旋回可能に取り付けられていることを特徴とし、請求項２の電気蝋燭用受台は、電気蝋燭の燭台の下端が嵌合する凹部を形成した受台の該凹部に接する部分に電線を挿通する孔を形成したことを特徴とし、請求項３の電気蝋燭用受台は、電気蝋燭用受台を取り付ける蝶番をスプリング内蔵の蝶番として常時電気蝋燭用受台を仏壇本体から外側に押し出すように付勢させたことを特徴とし、請求項４の電気蝋燭用受台は、電気蝋燭用受台の下面に仏壇の扉に当接するロ−ラを枢支して設けたことを特徴とするものである。
【発明の作用】
【０００７】  請求項１の発明では、電気蝋燭用受台が仏壇本体の側板の内面に蝶番を介して水平旋回可能に取り付けられているので、使用時に電気蝋燭を載置した受台を旋回させるだけで簡単に仏壇本体の外側に引き出せ、不使用時には簡単に仏壇本体内に収納でき、請求項２の発明では、受台に電気蝋燭の燭台の下端が嵌合する凹部を形成してあるので、電気蝋燭が受台上で滑らず安定し、受台の凹部に接する部分に電線を挿通する孔を形成してあるので、電線が引っ張られても電気蝋燭が倒れず、請求項３の発明では、電気蝋燭用受台を取り付ける蝶番をスプリング内蔵の蝶番として常時電気蝋燭用受台を仏壇本体から外側に押し出すように付勢させているので、仏壇の扉を開けると同時に受台が自動的に旋回して受台が仏壇本体から外側に突出し、仏壇の扉を閉じると同時に受台が扉に押されて仏壇本体内に収納され、請求項４の発明では、電気蝋燭用受台の下面に仏壇の扉に当接するロ−ラを枢支して設けてあるので、仏壇の扉を閉じるときに受台が押されても扉が傷つくことがない。
【発明の実施の態様】
【０００８】  本発明の実施の態様を図面について具体的に説明する。
【実施例１】
【０００９】  図１は、本発明受台の斜視図、図２は、同側面図、図３は、本発明受台に電気蝋燭を載置した状態の斜視図、図４は、本発明受台を仏壇本体の側板に取り付けた状態の閉扉時での平面透視図、図５は、本発明受台を仏壇本体の側板に取り付けた状態の開扉時での平面透視図である。【００１０】  １は、本発明に係る電気蝋燭用受台であって、上面には後述する電気蝋燭の燭台４−３の下端が嵌合する凹部１−１が形成され、その凹部１−１に近接する部分に電気蝋燭に電流を供給する電線４−４を挿通するための孔１−２が下面から上面に向かって穿設されている。【００１１】  ２は、前記受台１を後述する仏壇本体の側板の内面に水平旋回可能に取り付けるための蝶番であって、受台１の側端部に蝶番２の一方の羽根がネジ止めされている。【００１２】  ３は、扉が当接して擦れても傷つかないようにするロ−ラであって、、受台１の下面にピンを介して枢支されている。【００１３】  ４は、前記受台１に載置する電気蝋燭であって、炎型の電球４−１を取り付ける蝋燭本体部分４−２とその蝋燭本体部分を立てる燭台部分４−３とから構成されており、前記受台１の凹部１−１に燭台部分４−３を嵌合させ、蝋燭本体部分４−２から延びる電線４−４を孔１−２に挿通させるようにしてある。【００１４】  ５は、仏壇本体であって、その側板５−１の内面の開放端側に前記蝶番２の他方の羽根をネジ止めすることによって受台１が取り付けられるようになっており、同開放端側に扉５−２が蝶着されている。【００１５】  上記実施態様に基づき本発明の作用、効果を説明する。【００１６】  請求項１の発明では、電気蝋燭用受台１が仏壇本体５の側板５−１の内面に蝶番２を介して水平旋回可能に取り付けられているので、使用時に電気蝋燭４を載置した受台１を旋回させるだけで簡単に仏壇本体５の外側に引き出せ、不使用時には簡単に受台１を仏壇本体内に収納できる。【００１７】  請求項２の発明では、受台１に電気蝋燭４の燭台部分４−３の下端が嵌合する凹部１−１を形成してあるので、電気蝋燭４が受台上で滑らず安定し、受台１の凹部１−１に接する部分に電線４−４を挿通する孔１−２を形成してあるので、電線４−４が引っ張られても電気蝋燭４は真下に引かれるだけで倒れるようなことがない。【００１８】  請求項３の発明では、電気蝋燭用受台１を取り付ける蝶番２をスプリング内蔵の蝶番として常時電気蝋燭用受台１を仏壇本体５から外側に押し出すように付勢させているので、仏壇の扉５−２を開けると同時に受台１が蝶番２に内蔵されたスプリング（図示せず）の復元力によって自動的に旋回して受台１が仏壇本体５から外側に突出し、仏壇の扉５−２を閉じると同時に受台１が扉５−２に押されて仏壇本体内に収納される。【００１９】  請求項４の発明では、電気蝋燭用受台１の下面に仏壇の扉５−２に当接するロ−ラ３を枢支して設けてあるので、仏壇の扉５を閉じるときに受台１が押されても扉が傷つくことがない。
【発明の効果】
【００２０】  以上述べた如く、本発明に係る電気蝋燭用受台によれば、仏壇本体の側板の内面に蝶番を介して水平旋回可能に取り付けるようにしたものであるから、扉が開閉運動をする軌跡上には何も置くことができず，仏壇前面の経机上の電気蝋燭は扉から離れた位置に設置しなければならならないという従来の問題点を解決することができるだけでなく、請求項２、３、４のような工夫を講じて使用に際して便利な構成を採用することができるようになったもので、仏壇の小型化を図る上でも有用な発明といえるものである。
【図面の簡単な説明】
【図１】  本発明受台の斜視図である。
【図２】  同側面図である。
【図３】  本発明受台に電気蝋燭を載置した状態の斜視図である。
【図４】  本発明受台を仏壇本体の側板に取り付けた状態の閉扉時での平面透視図である。
【図５】  本発明受台を仏壇本体の側板に取り付けた状態の開扉時での平面透視図である。
【符号の説明】
１…受台  ２…蝶番  ３…ロ−ラ  ４…電気蝋燭  ５…仏壇本体
【図１】
2005066302.tif 000003
【図２】
2005066302.tif 000004
【図３】
2005066302.tif 000005
【図４】
2005066302.tif 000006
【図５】
2005066302.tif 000007